(57)【要約】【課題】視覚障害者や視力の衰えた人でも、さらには健常者においても、容易に正確な水位を合わせることができる炊飯システムを提供する。【解決手段】外部機器端末器２０は、米量毎に適した水量、及びそれぞれの水量に対応して、水量が内釜内に確保されるときの水量調節時の内釜の基準傾斜角度がそれぞれ記憶された機器記憶部４４と、内釜内の米量を選択する米量選択手段を有する機器操作部４１と、内釜の傾斜角度を測定する角度測定センサー４２と、米量選択手段により選択された米量に基づいて、機器記憶部４４から内釜の基準傾斜角度を選定し、角度測定センサー４２の測定する内釜の傾斜角度が基準傾斜角度になるように内釜を傾ける操作を報知する機器制御部４０とを備えている。【選択図】図５
2016193125.tif 000002
【特許請求の範囲】
【請求項１】
内釜が取り外し自在に収容され、収容された前記内釜を加熱する加熱手段を有する炊飯器の本体と、
前記本体に開閉自在に取り付けられた蓋体と、
前記本体に備えられ、少なくとも炊飯メニューを選択する操作部と、
前記本体に備えられ、前記操作部により炊飯メニューが選択されたときに、選択された炊飯メニューにおける炊飯量に応じて前記加熱手段を制御する制御手段と、
少なくとも米量毎に適した水量、及びそれぞれの水量に対応して、水量が前記内釜内に確保されるときの水量調節時の前記内釜の基準傾斜角度がそれぞれ記憶された記憶手段と、
前記内釜内の米量を選択する米量選択手段と、
前記内釜の傾斜角度を測定する角度測定センサーを有する外部端末機器と、
前記米量選択手段により選択された米量に基づいて、前記記憶手段から前記内釜の基準傾斜角度を選定する傾斜角度設定手段と
を備え、
前記外部端末機器は、前記角度測定センサーの測定する前記内釜の傾斜角度が前記傾斜角度設定手段により選定された前記内釜の基準傾斜角度になるように前記内釜を傾ける操作を報知することを特徴とする炊飯システム。
【請求項２】
前記外部端末機器は、前記記憶手段である機器記憶部と、前記米量選択手段と、前記傾斜角度設定手段とを備え、
前記傾斜角度設定手段は、前記米量選択手段により選択された米量に基づいて、前記機器記憶部から前記内釜の基準傾斜角度を選定することを特徴とする請求項１記載の炊飯システム。
【請求項３】
前記本体は、前記記憶手段である本体記憶部と、前記傾斜角度設定手段と、前記外部端末機器と通信する本体通信部とを備え、
前記外部端末機器は、前記米量選択手段と、前記本体と通信する機器通信部とを備え、
前記米量選択手段により選択された米量の情報が前記機器通信部及び前記本体通信部を介して前記本体へ送信され、
前記傾斜角度設定手段は、前記米量選択手段により選択された米量に基づいて、前記本体記憶部から基準傾斜角度を選定し、この基準傾斜角度情報を前記本体通信部及び前記機器通信部を介して前記外部端末機器へ送信することを特徴とする請求項１記載の炊飯システム。
【請求項４】
前記本体は、前記米量選択手段と、前記外部端末機器と通信する本体通信部とを備え、
前記外部端末機器は、前記記憶手段である機器記憶部と、前記傾斜角度設定手段と、前記本体と通信する機器通信部とを備え、
前記米量選択手段により選択された米量の情報が前記本体通信部及び前記機器通信部を介して前記外部端末機器へ送信され、
前記傾斜角度設定手段は、前記本体の米量選択手段により選択された米量に基づいて、前記機器記憶部から前記内釜の基準傾斜角度を選定することを特徴とする請求項１記載の炊飯システム。
【請求項５】
前記本体は、前記記憶手段である本体記憶部と、前記米量選択手段と、前記傾斜角度設定手段と、前記外部端末機器と通信する本体通信部とを備え、
前記外部端末機器は、前記本体と通信する機器通信部とを備え、
前記傾斜角度設定手段は、前記米量選択手段により選択された米量に基づいて、前記本体記憶部から前記内釜の基準傾斜角度を選定し、この基準傾斜角度を前記本体通信部と前記機器通信部とを経由して前記外部端末機器に送信することを特徴とする請求項１記載の炊飯システム。
【請求項６】
前記外部端末機器は、前記角度測定センサーを有するデジタル携帯電話であることを特徴とする請求項１〜５の何れか１項に記載の炊飯システム。
【請求項７】
前記蓋体の下部に取り外し自在の内蓋を備え、
前記外部端末機器は、前記内蓋の周縁部に着脱自在に装着されることを特徴とする請求項１〜５の何れか１項に記載の炊飯システム。
【請求項８】
前記内釜の開口に着脱自在に装着され、前記内釜内の水を排出する排水口を有する保持具を備え、
前記外部端末機器は、前記保持具に着脱自在に装着されることを特徴とする請求項６記載の炊飯システム。
【請求項９】
前記内釜の側板の内周面に、前記内釜の最大米量に対する水位を超える水位線が表示されていることを特徴とする請求項１〜８の何れか１項に記載の炊飯システム。
【請求項１０】
前記外部端末機器は、米量に適した水量が前記内釜内に確保されるときの水量調節時の前記内釜の傾斜角度を報知することを特徴とする請求項１〜９の何れか１項に記載の炊飯システム。
【発明の詳細な説明】
【技術分野】
【０００１】
本発明は、米量に適した水量を調節する炊飯システムに関するものである。
【背景技術】
【０００２】
従来、目の不自由な人にとっても使い勝手の良い水位合わせのものとして、炊飯量の各水位に対応した高さを有する階段状の段部を有したプレートをメニュー毎に複数組み合わせ器具本体となし、かつ、階段状の段部を器具本体の下面部と平行になるように形成し、さらにメニューによって前記段部の長さを変えた炊飯器の水位合わせ器具を備えたものがある（例えば、特許文献１参照）。
また、健常者において簡単に水位合わせができるものとして、炊飯器の内釜に米を収容し、水を内釜いっぱいに入れ、内釜を傾斜させて内釜に設けられた排出口から排水を行い、内釜の内面に表示されている最適水位を示す傾斜水位線に水面が重なるまで水を排出するものがある（例えば、特許文献１参照）。
【先行技術文献】
【特許文献】
【０００３】
【特許文献１】特開２００４−８９３３３号公報
【特許文献２】特開平２−２９９６１５号公報
【発明の概要】
【発明が解決しようとする課題】
【０００４】
しかしながら、水位合わせ器具を内釜の中に挿入し、片手で器具の段差と、水面の位置の両方に注意を配りながら、もう片方の手で水量を調整するために、水を注いだり、くみ出したりすることは、非常に手が掛かる作業で適正水位を得るのに時間が掛かり煩わしいものである。
また、最適水量を示した傾斜水位線に合わせて水を排出して水位を合わせる場合、水を排出する場所が限定されていまい煩わしさがある。また、内釜のフランジ部に水を排出する排出口を設けるために、蒸気漏れが発生しやすい。また、水位線を内釜内面に傾斜させて表示する加工及び、内釜に水を排出する排出口を加工するのにコストがかかる。
さらに、水の排出口が決まっているので、米種、炊き方に対応したさまざまな水位線を分散して表示することが困難であり、米種、炊き方が限定されてしまうと言った課題があった。
【０００５】
本発明は、前記のような課題を解決するためになされたもので、視覚障害者や視力の衰えた人でも、さらには健常者においても、容易に正確な水位を合わせることができる炊飯システムを提供することを目的とする。
また、白米の多様な品種や、個人の好みの炊き分けの他、色々なメニューに対応する水位合わせが簡単にできる炊飯システムを提供することを目的とする。
【課題を解決するための手段】
【０００６】
本発明に係る炊飯システムは、内釜が取り外し自在に収容され、収容された内釜を加熱する加熱手段を有する炊飯器の本体と、本体に開閉自在に取り付けられた蓋体と、本体に備えられ、少なくとも炊飯メニューを選択する操作部と、本体に備えられ、操作部により炊飯メニューが選択されたときに、選択された炊飯メニューにおける炊飯量に応じて加熱手段を制御する制御手段と、少なくとも米量毎に適した水量、及びそれぞれの水量に対応して、水量が内釜内に確保されるときの水量調節時の内釜の基準傾斜角度がそれぞれ記憶された記憶手段と、内釜内の米量を選択する米量選択手段と、内釜の傾斜角度を測定する角度測定センサーを有する外部端末機器と、米量選択手段により選択された米量に基づいて、記憶手段から内釜の基準傾斜角度を選定する傾斜角度設定手段とを備え、外部端末機器は、角度測定センサーの測定する内釜の傾斜角度が傾斜角度設定手段により選定された内釜の基準傾斜角度になるように内釜を傾ける操作を報知するものである。
【発明の効果】
【０００７】
本発明によれば、内釜内に希望の米量に適した水位が確保されるように、内釜の適正な傾斜角度を報知するようにしている。このため、視覚障害者や視力の衰えた人でも、さらには健常者においても、米量に適した水位を容易に確保することができる。また、米の多様な品種や、個人の好みの炊き分けの他、色々なメニューに対応する水位合わせが簡単にできる。
【図面の簡単な説明】
【０００８】
【図１】本発明の実施の形態１に係る炊飯システムを構成する炊飯器及び外部端末機器の外観を示す斜視図。
【図２】図１の炊飯器において蓋体を開放した状態を示す斜視図。
【図３】図１の外部端末機器を拡大して示す斜視図。
【図４】図１の炊飯器の概略構成を示すブロック図。
【図５】図１の外部端末機器の概略構成を示すブロック図。
【図６】図３の外部端末機器が装着された内蓋で内釜の開口を覆った状態を示す斜視図。
【図７】本発明の実施の形態２に係る炊飯システムを構成する炊飯器の概略構成を示すブロック図。
【図８】本発明の実施の形態２に係る炊飯システムを構成する外部端末機器の概略構成を示すブロック図。
【図９】本発明の実施の形態３に係る炊飯システムを構成する炊飯器の概略構成を示すブロック図。
【図１０】本発明の実施の形態４に係る炊飯システムを構成する外部端末機器の概略構成を示すブロック図。
【図１１】本発明の実施の形態４に係る炊飯システムを構成する炊飯器の概略構成を示すブロック図。
【図１２】本発明の実施の形態５に係る炊飯システムを構成する外部端末機器の概略構成を示すブロック図。
【図１３】本発明の実施の形態６に係る炊飯システムにおいて外部端末機器が装着された保持具で内釜を覆った状態を示す斜視図。
【図１４】図１３の縦断面図。
【発明を実施するための形態】
【０００９】
実施の形態１．
図１は本発明の実施の形態１に係る炊飯システムを構成する炊飯器及び外部端末機器の外観を示す斜視図、図２は図１の炊飯器において蓋体を開放した状態を示す斜視図である。
【００１０】
実施の形態１における炊飯システムは、図１に示すように、炊飯器１００と、外部端末機器２０とで構成される。炊飯器１００は、箱形状に形成された本体１と、本体１の上部にヒンジ部１０を介して開閉自在に取り付けられた蓋体２と、本体１の正面に取り外し自在に設けられた蒸気回収部３とを備えている。本体１内には、図示していないが、底部側に加熱手段である加熱コイル３１が配設されている。蓋体２の手前側の上部には、操作部４が配置されている。
【００１１】
なお、蓋体２の上部には、図示していないが、表示窓が設けられている。この表示窓は、蓋体２の内部に装着された液晶表示部３５の画面上に配置されている。操作部４は、炊飯に必要な複数のスイッチを備えている。各スイッチには、例えば、外部被膜を押したときに、その箇所の電極が接触してＯＮするタッチスイッチが用いられている。また、蓋体２の正面には、蓋係止ボタン５が設けられている。この蓋係止ボタン５を奥へ押した際に、蓋体２は、ヒンジ部１０の付勢力によって、本体１の上部を開放する。
【００１２】
本体１には、図２に示すように、内釜６が取り外し自在に収容されている。この内釜６は、有底筒状に形成され、開口の周縁部に外側に折り曲げられたフランジ部６ａが設けられている。また、内釜６の側板の内周面には、内釜６の最大米量に対する最適水位を超える水位線６ｃが表示されている。この水位線６ｃは、視覚障害者が指で確認できるように凹凸で表示されている。後述するように、内釜６には、最初に、内釜６を水平に置いた状態で水位線６ｃを超える量の水を入れ、その後、内釜６を傾けて水をこぼすことにより内釜６に入れる水の量を調節する。水位線６ｃを設けることにより、希望する米量に対して、初期に投入する水量が少なくならないようにするためである。蓋体２には、下部２ａに取り外し自在に嵌め込まれた内蓋７が設けられている。また、蓋体２の下部２ａには、内蓋７との間に取り外し自在に収容されたカートリッジが設けられている。
【００１３】
このカートリッジは、炊飯時に発生する内釜６内の蒸気を導き入れる蒸気導入口と、その蒸気を蒸気回収部３に案内する蒸気導出口８とを備えている。蒸気導入口は、内蓋７に設けられた蒸気排出口７ａに嵌め込まれ、蒸気導出口８は、蓋体２が閉じられたときに蒸気回収部３の蒸気流入口９に密閉状態で接合する。
【００１４】
図３は図１の外部端末機器を拡大して示す斜視図である。なお、図３（ａ）は例えば外部端末機器を正面の右斜めから見た斜視図、同図（ｂ）は外部端末機器を背面側から見た斜視図である。
図中に示す外部端末機器２０は、後述するが、自己の上下及び左右の傾きの角度を測定する角度測定センサーを備えている。外部端末機器２０の下部には、内蓋７の周縁部７ｂ（図６参照）に嵌合する３本の脚部２１ａ、２１ｂ、２１ｃが設けられている。また、外部端末機器２０は、上部の中央に表示画面２２が設けられている。この外部端末機器２０を正面から見て、表示画面２２の右側と手前側とに、それぞれ３個ずつのＬＥＤ２３、２４が設けられている。
【００１５】
ＬＥＤ２３は、内釜６の下方向の傾き状態に応じて点灯する。例えば、米量に適した水量が内釜６内に確保されるときの水量調節時の内釜６の基準傾斜角度と外部端末機器２０の傾斜角度とが一致しているときには、３個のＬＥＤ２３が点灯し、外部端末機器２０の傾斜角度が基準傾斜角度と一致しないときには、例えば、奥のＬＥＤ２３から消灯していく。３個のＬＥＤ２４は、左右の傾き状態に応じて点灯する。例えば、左右が水平状態であるときには３個のＬＥＤ２４が点灯し、左右の何れかに傾いているときには、下方に傾いている側のＬＥＤ２４が消灯する。
【００１６】
外部端末機器２０には、内釜６内に入っている米量を選択する米量選択ボタン２５（米量選択手段）が設けられている。この米量選択ボタン２５を押す毎に１合、２合、３合と米量が順に切り替わるようになっている。前述の表示画面２２には、例えば、米量選択ボタン２５の操作に基づいて米量を表示し、その米量に適した水量が内釜６内に確保されるときの水量調節時の内釜６の基準傾斜角度、外部端末機器２０の傾斜角度などを表示する。また、表示画面２２には、米量に適した水量が内釜６内に確保されるときの水量調節時の内釜６の基準傾斜角度と外部端末機器２０の傾斜角度とが一致したときに、その旨を表示する。なお、外部端末機器２０は、内釜６の基準傾斜角度と外部端末機器２０の傾斜角度とが一致したときに、表示内容と同じ内容を音声で報知するように構成されている。
【００１７】
次に、実施の形態１における炊飯器１００のブロック構成、及び外部端末機器２０のブロック構成について、図４及び図５を用いて説明する。
図４は図１の炊飯器の概略構成を示すブロック図、図５は図１の外部端末機器の概略構成を示すブロック図である。
【００１８】
炊飯器１００は、図４に示すように、前述した操作部４及び液晶表示部３５と、本体制御部３０（制御手段）と、加熱コイル３１と、重量センサー３２とを備えている。本体制御部３０は、操作部４により炊飯メニューが選択されたときに、その選択された炊飯メニューにおける炊飯量に応じて加熱コイル３１を制御する。内釜６内の炊飯量は、内釜６の下部に配置された重量センサー３２（図示せず）により検出された重量（米量＋水量）から判定される。その重量が米量に対して設定された重量に満たさないとき、即ち、米量に対して水量が多かったり、少なかったときには、液晶表示部３５を通して報知し、あるいは外部端末機器２０の機器報知部４３を通して報知し、誤炊飯を防止する。なお、炊飯量の判定は、重量センサーを用いず、例えば、内釜６の底面下部に内釜６の温度を検知する温度センサー（図示せず）を密着させ、吸水工程の後の沸騰に至る炊飯工程時の内釜６の温度上昇率から判定するようにしてもよい。
【００１９】
外部端末機器２０は、図５に示すように、傾斜角度設定手段を有する機器制御部４０と、前述の米量選択ボタン２５及び電源ボタン（図示せず）を有する機器操作部４１と、内釜６の傾斜角度を測定する角度測定センサー４２（三軸加速度センサー）と、機器報知部４３と、機器記憶部４４とを備えている。この機器記憶部４４には、米量毎に適した水量、及びそれぞれの水量に対応して、水量が内釜６内に確保されるときの水量調節時の内釜６の基準傾斜角度がそれぞれ記憶されている。電源ボタンは、外部端末機器２０の電源を入り切りするためのスイッチである。
【００２０】
機器制御部４０は、米量選択ボタン２５により選択された米量に基づいて、機器記憶部４４から内釜６の基準傾斜角度を選定し、角度測定センサー４２の測定する内釜６の傾斜角度と基準傾斜角度とが一致するように内釜６の傾きを誘導する。この誘導は、機器報知部４３を通じて行う。つまり、ＬＥＤ２３、２４の点灯表示、表示画面２２及び音声により、米量に適した水量が内釜６内に確保されるように内釜６の傾斜角度を報知する。
【００２１】
次に、内釜６内の米量に適した水量を得るまでの動作について、図６を用いて説明する。
図６は図３の外部端末機器が装着された内蓋で内釜の開口を覆った状態を示す斜視図である。
【００２２】
例えば３合の米量と水位線６ｃまで水が入った内釜６に、前述したように、外部端末機器２０が嵌合した内蓋７を内釜６の開口に嵌め込んで、米量選択ボタン２５で３合の米量を選択すると、外部端末機器の２０の機器制御部４０は、米量選択ボタン２５により選択された米量に基づいて、機器記憶部４４から３合の米量に適した水量が内釜６内に確保される水量調節時の内釜６の基準傾斜角度を読み込んで、米量と共に基準傾斜角度を表示画面２２に表示する。
【００２３】
内蓋７に設けられた排水口７ｃが下になるように内釜６を傾けていくと、内釜６内の水が排水口７ｃから排水される。この時、角度測定センサー４２が内釜６の傾斜角度を測定し、機器制御部４０に入力する。機器制御部４０は、角度測定センサー４２により測定された傾斜角度が入力されると、その傾斜角度と米量に適した水量が内釜６内に確保される水量調節時の内釜６の基準傾斜角度とを比較する。そして、機器制御部４０は、その結果を表示画面２２に表示すると共に、ＬＥＤ２３、２４を点灯あるいは消灯して内釜６の傾きが適切かどうかを利用者に報知する。この報知により、内釜６の左右の傾きが水平になり、水を排水する内釜６の傾斜角度が機器記憶部４４から読み込んだ基準傾斜角度と一致すると、その旨を表示画面２２に表示すると共に、ＬＥＤ２３、２４の全てを点灯して利用者に報知する。この状態を維持しているときに、内釜６からの排水がなくなった場合には、内釜６内に３合の米量に適した水量が確保される。
【００２４】
以上のように実施の形態１によれば、内釜６内に希望の米量に適した水量が内釜６内に確保されるように、ＬＥＤ２３、２４、表示画面２２及び音声により、水量調節時の内釜６の適正な内釜６の傾斜角度を報知するようにしている。このため、視覚障害者や視力の衰えた人でも、さらには健常者においても、米量に適した水量を容易に確保することができる。また、米の多様な品種や、個人の好みの炊き分けの他、色々な炊飯メニューに対応する水位合わせが簡単にできる。
【００２５】
さらに、機器記憶部４４には、米量毎に適した水量、及びそれぞれの水量に対応して、水量が内釜６内に確保されるときの水量調節時の内釜６の基準傾斜角度をそれぞれ記憶するだけでよいので、機器記憶部４４の記憶容量の負担を軽減できる。
【００２６】
実施の形態２．
図７は本発明の実施の形態２に係る炊飯システムを構成する炊飯器の概略構成を示すブロック図、図８は本発明の実施の形態２に係る炊飯システムを構成する外部端末機器の概略構成を示すブロック図である。なお、実施の形態１と同様又は相当部分には同じ符号を付し、実施の形態１と異なる部分だけを説明する。
【００２７】
炊飯器１００は、図７に示すように、前述した操作部４及び液晶表示部３５と、制御手段及び傾斜角度設定手段を有する本体制御部３０と、加熱コイル３１と、重量センサー３２と、本体記憶部３３と、外部端末機器２０と通信する本体通信部３４とを備えている。本体記憶部３３には、米量毎に適した水量、及びそれぞれの水量に対応して、水量が内釜６内に確保されるときの水量調節時の内釜６の基準傾斜角度がそれぞれ記憶されている。本体制御部３０は、外部端末機器２０の米量選択ボタン２５により選定された米量の情報が本体通信部３４を介して受信されると、受信された米量に基づいて、本体記憶部３３から内釜６の基準傾斜角度を選定して、その基準傾斜角度を本体通信部３４を介して外部端末機器２０に送信する。
【００２８】
外部端末機器２０は、図８に示すように、機器制御部４０と、米量選択ボタン２５及び電源ボタン（図示せず）を有する機器操作部４１と、内釜６の傾斜角度を測定する角度測定センサー４２と、機器報知部４３と、本体１と通信する機器通信部４５とを備えている。機器制御部４０は、本体制御部３０により選定された内釜６の基準傾斜角度が機器通信部４５を介して受信されると、受信された基準傾斜角度と角度測定センサー４２の測定する内釜６の傾斜角度とが一致するように内釜６の傾きを誘導する。この誘導は、前述したように、ＬＥＤ２３、２４の点灯表示、表示画面２２及び音声により、米量に適した水量が内釜６内に確保されるように内釜６の傾斜角度を報知する。
【００２９】
機器制御部４０は、この報知により、内釜６の左右の傾きが水平になり、水を排水する内釜６の傾斜角度が機器記憶部４４から読み込んだ基準傾斜角度と一致すると、その旨を表示画面２２に表示すると共に、ＬＥＤ２３、２４の全てを点灯して利用者に報知する。この状態を維持しているときに、内釜６からの排水がなくなった場合には、内釜６内に３合の米量に適した水が確保される。
【００３０】
以上のように実施の形態２によれば、外部端末機器２０側で炊飯の米量を選択して炊飯器１００側へ送信すると、選択された米量に適した水量が内釜６内に確保される水量調節時の内釜の基準傾斜角度が炊飯器１００側から外部端末機器２０に送信されるようにしているので、実施の形態１と比べ、より機器記憶部４４の記憶容量の負担を軽減できる。
【００３１】
実施の形態３．
図９は本発明の実施の形態３に係る炊飯システムを構成する炊飯器の概略構成を示すブロック図、図１０は本発明の実施の形態３に係る炊飯システムを構成する外部端末機器の概略構成を示すブロック図である。なお、実施の形態１、２と同様又は相当部分には同じ符号を付し、実施の形態１、２と異なる部分だけを説明する。
【００３２】
炊飯器１００は、図９に示すように、米量選択ボタン２５を有する操作部４及び液晶表示部３５と、制御手段を有する本体制御部３０と、加熱コイル３１と、重量センサー３２と、外部端末機器２０と通信する本体通信部３４とを備えている。本体制御部３０は、米量選択ボタン２５により炊飯の米量が選択されると、その選択された米量の情報を本体通信部３４を介して外部端末機器２０に送信する。
【００３３】
外部端末機器２０は、図１０に示すように、傾斜角度設定手段を有する機器制御部４０と、電源ボタン（図示せず）を有する機器操作部４１と、内釜６の傾斜角度を測定する角度測定センサー４２と、機器報知部４３と、機器記憶部４４と、本体１と通信する機器通信部４５とを備えている。機器記憶部４４には、米量毎に適した水量、及びそれぞれの水量に対応して、水量が内釜６内に確保されるときの水量調節時の内釜６の基準傾斜角度がそれぞれ記憶されている。
【００３４】
機器制御部４０は、操作部４の米量選択ボタン２５で選択された米量の情報が機器通信部４５を介して受信されると、受信された米量に基づいて、機器記憶部４４から内釜６の基準傾斜角度を選定する。そして、機器制御部４０は、選定した基準傾斜角度と角度測定センサー４２の測定する内釜６の傾斜角度とが一致するように内釜６の傾きを誘導する。この誘導は、前述したように、ＬＥＤ２３、２４の点灯表示、表示画面２２及び音声により、米量に適した水量が内釜６内に確保されるように内釜６の傾斜角度を報知する。
【００３５】
機器制御部４０は、この報知により、内釜６の左右の傾きが水平になり、水を排水する内釜６の傾斜角度が機器記憶部４４から読み込んだ傾斜角度と一致すると、その旨を表示画面２２に表示すると共に、ＬＥＤ２３、２４の全てを点灯して利用者に報知する。この状態を維持しているときに、内釜６からの排水がなくなった場合は、内釜６内に３合の米量に適した水が確保される。
【００３６】
以上のように実施の形態３によれば、外部端末機器２０の傾斜角度と比較する基準傾斜角度を選択する米量選択ボタン２５を炊飯器１００側に設けても、外部端末機器２０によって内釜６内に希望の米量に適した水量が内釜６内に確保されるように、ＬＥＤ２３、２４、表示画面２２及び音声により、水量調節時の内釜６の適正な傾斜角度を誘導することができる。このため、視覚障害者や視力の衰えた人でも、さらには健常者においても、米量に適した水量を容易に確保することができる。
【００３７】
実施の形態４．
図１１は本発明の実施の形態４に係る炊飯システムを構成する炊飯器の概略構成を示すブロック図、図１２は本発明の実施の形態４に係る炊飯システムを構成する外部端末機器の概略構成を示すブロック図である。なお、実施の形態１〜３と同様又は相当部分には同じ符号を付し、実施の形態１〜３と異なる部分だけを説明する。
【００３８】
炊飯器１００は、図１１に示すように、米量選択ボタン２５を有する操作部４及び液晶表示部３５と、傾斜角度設定手段及び制御手段を有する本体制御部３０と、加熱コイル３１と、重量センサー３２と、本体記憶部３３と、外部端末機器２０と通信する本体通信部３４とを備えている。本体記憶部３３には、米量毎に適した水量、及びそれぞれの水量に対応して、水量が内釜６内に確保されるときの水量調節時の内釜６の基準傾斜角度の情報がそれぞれ記憶されている。
本体制御部３０は、米量選択ボタン２５により炊飯の米量が選択されると、その選択された米量に基づいて、本体記憶部３３から内釜６の基準傾斜角度を選定する。そして、本体制御部３０は、選定した基準傾斜角度の情報を本体通信部３４を介して外部端末機器２０に送信する。
【００３９】
外部端末機器２０は、図１２に示すように、機器制御部４０と、電源ボタン（図示せず）を有する機器操作部４１と、内釜６の傾斜角度を測定する角度測定センサー４２と、機器報知部４３と、本体１と通信する機器通信部４５とを備えている。
【００４０】
機器制御部４０は、本体１からの基準傾斜角度の情報が機器通信部４５を介して受信されると、受信された内釜６の基準傾斜角度と角度測定センサー４２の測定する内釜６の傾斜角度とが一致するように内釜６の傾きを誘導する。この誘導は、前述したように、ＬＥＤ２３、２４の点灯表示、表示画面２２及び音声により、米量に適した水量が内釜６内に確保されるように内釜６の傾斜角度を報知する。
【００４１】
機器制御部４０は、この報知により、内釜６の左右の傾きが水平になり、水を排水する内釜６の傾斜角度が機器記憶部４４から読み込んだ傾斜角度と一致すると、その旨を表示画面２２に表示すると共に、ＬＥＤ２３、２４の全てを点灯して利用者に報知する。この状態を維持しているときに、内釜６からの排水がなくなった場合は、内釜６内に３合の米量に適した水が確保される。
【００４２】
以上のように実施の形態４によれば、外部端末機器２０に炊飯器１００側から選択された内釜６の基準傾斜角度の情報を受信させる構成であるため、外部端末機器２０の構成が実施の形態１〜３と比べ簡素化される。また、このように簡素化された外部端末機器２０であっても、外部端末機器２０によって内釜６内に希望の米量に適した水量が内釜６内に確保されるように、ＬＥＤ２３、２４、表示画面２２及び音声により、水量調節時の内釜６の適正な基準傾斜角度を誘導することができる。このため、視覚障害者や視力の衰えた人でも、さらには健常者においても、米量に適した水量を容易に確保することができる。また、米の多様な品種や、個人の好みの炊き分けの他、色々な炊飯メニューに対応する水位合わせが簡単にできる。
【００４３】
実施の形態５．
図１３は本発明の実施の形態５に係る炊飯システムにおいて外部端末機器が装着された保持具で内釜の開口を覆った状態を示す斜視図、図１４は図１３の縦断面図である。なお、実施の形態１〜４と同様又は相当部分には同じ符号を付し、実施の形態１〜４と異なる部分を説明する。
実施の形態４においては、外部端末機器２０に代えて、角度測定センサー４２を備えたデジタル携帯電話５０で、米量に適した水量が内釜６内に確保されるようにしたものである。
【００４４】
デジタル携帯電話５０を用いる場合、デジタル携帯電話５０を保持する保持具５１が用いられる。この保持具５１は、上方から見てＵの字形状に形成され、一端部には、デジタル携帯電話５０を保持するＬの字形状の保持部材５３が設けられている。また、他端部には、複数のスリット状の穴で形成される排水口５２が設けられている。さらに、保持具５１の裏面には、内釜６の開口に嵌合する複数の突起部５４が設けられている。保持具５１は、水を排出するときの米の流出を防止する役目もある。
【００４５】
デジタル携帯電話５０は、画面のタッチ操作により、本体記憶部３３から米量毎に適した水量、及びそれぞれの水量に対応して設定された、水量が内釜６に確保されるときの水量調節時の内釜６の基準傾斜角度を読み込んで記憶する。そして、内釜６の開口に嵌合した保持具５１に載せて保持部材５３で保持する。また、画面のタッチ操作により、内釜６内の米量を選択すると、米量に適した水量及びこの水量を確保するための水量調節時の内釜６の基準傾斜角度を読み込んで、米量と共に基準傾斜角度を画面に表示する。
【００４６】
保持具５１に設けられた排水口５２が下になるように内釜６を傾けていくと、内釜６内の水が排水口５２から排水される。この時、角度測定センサー４２が内釜６の傾斜角度を測定する。デジタル携帯電話５０は、角度測定センサー４２により測定された傾斜角度と米量に適した水量が内釜６内に確保される水量調節時の基準傾斜角度とを比較し、その結果を画面に表示すると共に、音声により利用者に報知する。この報知により、水を排水する内釜６の傾斜角度が米量に適した水量が内釜６内に確保される水量調節時の基準傾斜角度と一致すると、その旨を画面に表示すると共に、音声によって報知する。この状態を維持しているときに、内釜６からの排水がなくなった場合は、内釜６内に希望の米量に適した水が確保される。
【００４７】
以上のように実施の形態５によれば、デジタル携帯電話５０を用いて、内釜６内に希望の米量に適した水量が確保されるようにしている。このため、視覚障害者や視力の衰えた人でも、さらには健常者においても、米量に適した水量を容易に確保することができる。また、米の多様な品種や、個人の好みの炊き分けの他、色々なメニューに対応する水位合わせが簡単にできる。
また、デジタル携帯電話５０を利用することで音声による入力や案内、大きな画面を使用しているので、使い勝手のよい炊飯器を提供することができる。また、デジタル携帯電話５０を既に持っている利用者が、専用の外部端末機器２０を購入する必要がないので、購入費用を安くすることができる。また、保持具５１の収納場所の確保や、余計な部品を増やすことで費用をかけることもなくなる。
【００４８】
なお、実施の形態５では、実施の形態１の外部端末機器２０と同様の機能を有するデジタル携帯電話５０について説明したが、デジタル携帯電話５０を実施の形態２〜４の何れかに示す外部端末機器２０と同様の機能を持たせるようにしてもよい。
例えば、図７に示すように、本体１に、本体記憶部３３と、傾斜角度設定手段を有する本体制御部３０と、外部端末機器２０と通信する本体通信３４部とを備えた炊飯器１００とした場合、図８に示す米量選択ボタン２５を有する機器操作部４１と、本体１と通信する機器通信部４５と、角度測定センサー４２とを有するデジタル携帯電話５０を用いる。
図９に示すように、本体１に、米量選択ボタン２５を有する操作部と、外部端末機器２０と通信する本体通信３４部とを備えた炊飯器１００とした場合、図１０に示す機器記憶部４４と、傾斜角度設定手段を有する機器制御部４０と、角度測定センサー４２と、本体１と通信する機器通信部４５とを有するデジタル携帯電話５０を用いる。
また、図１１に示すように、本体１に、本体記憶部３３と、米量選択ボタン２５を有する操作部と、傾斜角度設定手段を有する本体制御部３０と、外部端末機器２０と通信する本体通信３４部とを備えた炊飯器１００とした場合、図１２に示す角度測定センサー４２と、本体１と通信する機器通信部４５を有するデジタル携帯電話５０を用いる。
【００４９】
通信手段として、近距離無線通信（ＮＦＣ）や赤外線通信、Ｗｉ−Ｆｉ、Ｂｌｕｅｔｏｏｔｈ（登録商標）等で適宜、費用、環境に対応した最適な通信を行うことができる。
【００５０】
実施の形態１〜５では、光、表示画面及び音声で、米量に適した水量が内釜内に確保されるように内釜６の傾斜角度を報知するようにしたが、専用の外部端末機器２０に、小型モーター等を使用したバイブレーターを設け、バイブレーターを振動の速い、遅い、振動パターンを変化させて、内釜６の傾斜角度が適正か否かを報知するようにしてもよい。
【００５１】
実施の形態１〜５では、角度測定センサー４２に三軸の加速度センサーを使用しているため、三次元的に角度を検出でき、音声案内と組み合わせることで視覚障害者の方に的確に水の排水口７ｃ、５２を案内することができるので、内釜６内の余分な水を確実に排出できる。
【符号の説明】
【００５２】
１  本体、２  蓋体、２ａ  下部、３  蒸気回収部、４  操作部、５  蓋係止ボタン、６  内釜、６ａ  フランジ部、６ｃ  水位線、７  内蓋、７ａ  蒸気排出口、７ｂ  周縁部、７ｃ  排水口、８  蒸気導出口、９  蒸気流入口、１０  ヒンジ部、２０  外部端末機器、２１ａ、２１ｂ、２１ｃ  脚部、２２  表示画面、２３、２４  ＬＥＤ、２５  米量選択ボタン、３０  本体制御部、３１  加熱コイル、３２  重量センサー、３３  本体記憶部、３４  本体通信部、３５  液晶表示部、４０  機器制御部、４１  機器操作部、４２  角度測定センサー、４３  機器報知部、４４  機器記憶部、４５  機器通信部、５０  デジタル携帯電話、５１  保持具、５２  排水口、５３  保持部材、５４  突起部、１００  炊飯器。
【図１】
2016193125.tif 000003
【図２】
2016193125.tif 000004
【図３】
2016193125.tif 000005
【図４】
2016193125.tif 000006
【図５】
2016193125.tif 000007
【図６】
2016193125.tif 000008
【図７】
2016193125.tif 000009
【図８】
2016193125.tif 000010
【図９】
2016193125.tif 000011
【図１０】
2016193125.tif 000012
【図１１】
2016193125.tif 000013
【図１２】
2016193125.tif 000014
【図１３】
2016193125.tif 000015
【図１４】
2016193125.tif 000016